(57)【要約】      （修正有）【課題】ネット緊張作業が容易な網状フェンスの形成方法を提供する。【解決手段】ネット2の長さ方向端部に胴縁22と押さえ枠21が取り付けられ、該押さえ枠及び支柱1に、それぞれフェンスがのびる方向に対して角度がつけられ、且つ、該押さえ枠及び該支柱に設けられたそれぞれの傾斜板41，31が、摺動可能に当接する角度及び向きに断面Ｖ字状の取付部が設けられ、各々の取付部のＶ字状の両辺にはそれぞれボルト孔32，33，42，43が穿設され、該胴縁及び該支柱の各々の取付部に穿設されたボルト孔に取付ボルト51が挿通され、該取付ボルトにナット52が螺着されてネットが緊張する。【選択図】図３
2004353278.tif 000002
【特許請求の範囲】
【請求項１】
立設された断面Ｈ型の支柱間に網状のネットを差し渡し、前記ネットの長さ方向の両端を前記支柱に固定して形成されるフェンスの形成方法であって、前記ネットは前記断面Ｈ型の支柱の前面側からボルト締めすることで前記支柱間に緊張されて張設されることを特徴とする網状フェンスの形成方法。
【請求項２】
ネットは、長さ方向の端部に胴縁が取り付けられ、該胴縁及び前記支柱には、それぞれフェンスが延びる方向に対して角度が付けられ且つ前記胴縁及び前記支柱それぞれの傾斜面が摺動可能に当接する角度及び向きに断面Ｖ字状の取付部が設けられ、各々の取付部のＶ字状の両辺にはそれぞれボルト孔が穿設され、前記胴縁及び前記支柱の各々の取付部に穿設されたボルト孔に取付ボルトが挿通され、該取付ボルトにナットが螺着されてボルト締めがなされることでネットが緊張されて張設されることを特徴とする請求項１に記載の網状フェンスの形成方法。
【請求項３】
支柱は、前面側のフランジから前面側にボルトが突設され、前記ボルト及び締付け金具を用いてネットが緊張され、該締付け金具は前面側に前記ボルトが挿通可能なボルト孔が穿設されたボルト孔部と、ボルト孔部より背面側にネットの空隙の最大幅より大きい長さとなされた締付け部とを備え、前記ボルト孔部のボルト孔及びネットの空隙に前記ボルトを挿通し、ナットを螺着してボルト締めを行うことで、支柱のフランジ以外でネットが前記締付け部により背面側に押しつけられることでネットが緊張されることを特徴とする請求項１に記載の網状フェンスの形成方法。
【発明の詳細な説明】
【０００１】
【発明の属する技術分野】
本発明は、支柱間に金属、合成樹脂等からなる網状のネットを張設して形成される網状フェンスの形成方法に関するものである。
【０００２】
【従来の技術】
網状フェンスは、網状のネットを展開して支柱に固定することで容易に取り付けができ、またその空隙を風が通過し風荷重もかからないことから支柱自体やその支持構造を簡潔なものとでき、簡易に設置が可能であることから例えば道路側縁に設置されて道路への風雪を軽減する防風雪柵などに極一般的に用いられてきているものである。しかしネットを調節してフェンスを形成するにあたっては、従来から如何に可撓性や伸縮性を有するネットを緊張させた状態で調節するかが課題とされてきている。
【０００３】
道路側縁などにおいては構造が簡潔で強度の高いＨ形鋼が支柱として好適に用いられるが、かかる支柱においては、例えば図１１に示す如くＨ形鋼の支柱１のウエブＷに貫通孔（図示せず）を穿設して取付ナットＮ３を固着し、ネット２の長さ方向の端部に設けた胴縁２２を押さえ枠２１に取着し、押さえ枠２１に穿設されたボルト孔２１１に取付ナットＮ３に螺着した取付ボルト５１を挿通して緊結する。
【０００４】
図１２はその取付部分の詳細を示す上面図であるが、取付ボルト５１、ナット５２を締め込んでボルト締めを行うことで押さえ枠２１がそれぞれ矢印Ｙ８及びＹ９の方向に引っ張られることでネットが緊張されて張設されるものである。かかる方法には構造が簡便であり、取付ボルト５１も一本で済むという利点があった。
【０００５】
またその他の方法についても種々の発明が開示されてきており、例えば特許文献１には、前面平板部と後面平板部とそれらを中央で結ぶ中央平板部とによって形成された断面略Ｈ形のポストが所定間隔を隔てて立設され、該ポストの前記三つの平板部によって囲まれた溝のそれぞれの上部と下部に断面略逆Ｕ字状の下胴縁を平行にポスト間に掛け渡し、これらの二本のポストと上下の胴縁でつくられた四角形の４つの角にあたる位置の前面平板部、胴縁及び後面平板部のすべてにそれぞれ小孔を穿設し、該小孔にボルトを連通させると共に、前記四角形内に金網を展延状態で配設し、該金網の左端及び右端には、それぞれの網目の端部に前記上下のボルト間よりも長い棒体を挿通させ、該左端の棒体及び該右端の棒体をそれぞれ、前記ポストの溝と前記ボルトとの間に位置させ、前記金網の上端及び下端にも胴縁の長さと略同長の棒体を網目に挿通させ、上端の棒体は上の胴縁内に、下端の棒体は下胴縁内に収納させると共に上端の棒体は、前記上のボルトの上側に、下端の棒体は前記したのボルトの下側に位置させて金網を張設したフェンスが開示されている。
【０００６】
また特許文献２には、Ｈ型鋼を主柱としてなる格子金網フェンスの当該Ｈ型鋼の中央基軸部と上下胴縁との間に一端を蝶番状に一の丸棒に曲折させ自在に水平方向に動き得るようにした対の板状金具を配置し得るように構成し、対の金具の一方の板状部は前記Ｈ型鋼の中央基軸部に、他方の板上部は上下の胴縁の端部にそれぞれ固定可能に構成され、水平角に応じで適当に屈曲状態に金網に設置し得るように構成してなる格子フェンス用自在金具を用いて形成された格子金網フェンスが開示されている。
【０００７】
【特許文献１】
実開平３−２９６６７号公報
【０００８】
【特許文献１】
特開平３−１７６５７５号公報
【０００９】
【発明が解決しようとする課題】
しかしながら、上記の如きＨ形鋼の支柱のウエブに取付ナットを固着し、その取付ボルトに螺着した取付ボルトをボルト締めして押さえ枠を支柱側に引っ張る方法では、ボルト締め作業の際にＨ型鋼のフランジが邪魔となり、作業が行いづらく、またネットを緊張させる力を掛け辛いという難点があった。とりわけ防風雪柵など屋外においてネットを張設する場合ではネットに風を受ける状態でネットを緊張させる必要があり、ネットの緊張させるのに強い力を掛ける必要が出てくると作業が極めて困難になる場合がある。
【００１０】
また特許文献１に記載の如き方法で網状のネットを張設するのでは、上下左右に棒体及び胴縁を設ける必要があり、また棒体を網目に挿通させるのには非常な手間が必要である。更に特許文献２に記載の如き方法では、剛性の高いフェンスは固定できても、合成樹脂からなるネットや金網の様な可撓性の高いネットを緊張させて張設するのは困難である。
【００１１】
本発明は上記の如き課題に鑑みてなされたものであり、取り付けに係わる部材及び手間を少なくでき、ネットを緊張させる力が掛けやすく、且つネットを確実に張設できる網状フェンスの形成方法を提供せんとするものである。
【００１２】
【課題を解決するための手段】
上記目的を達成するため、本発明は以下のような構成としている。すなわち、本発明に係わる網状フェンスの形成方法は、立設された断面Ｈ型の支柱間に網状のネットを差し渡し、前記ネットの長さ方向の両端を前記支柱に固定して形成されるフェンスの形成方法であって、前記ネットは前記断面Ｈ型の支柱の前面側からボルト締めすることで前記支柱間に緊張されて張設されることを特徴とするものである。
【００１３】
本発明によれば、周囲にボルト締めの障害のないフランジの前面からボルト締めが可能であり、ネットを緊張させるのに強い力を掛けやすく、またネットの緊張状態を確認しながらボルト締めを行うことができるから、ネットを確実に緊張させて調節することが可能となる。
【００１４】
また前記ネットは、長さ方向の端部に胴縁が取り付けられ、該胴縁及び前記支柱には、それぞれフェンスが延びる方向に対して角度が付けられ且つ前記胴縁及び前記支柱それぞれの傾斜面が摺動可能に当接する角度及び向きに断面Ｖ字状の取付部が設けられ、各々の取付部のＶ字状の両辺にはそれぞれボルト孔が穿設され、前記胴縁及び前記支柱の各々の取付部に穿設されたボルト孔に取付ボルトが挿通され、該取付ボルトにナットが螺着されてボルト締めがなされることでネットが緊張されて張設されることを特徴とするものである。
【００１５】
本発明によれば、支柱及びネットに設けられた断面Ｖ字状の取付部が摺動可能に当接された状態でボルト締めを行うことができるから、取付部同士が当接された部位でネットが受ける風圧を支承しつつネットを緊張させるようボルト締めができ、ボルト締めを行うにあたってのボルト締めに要する力を略一定のものとでき、ネットを緊張させる力が掛けやすく、且つネットを確実に張設できる。
【００１６】
また前記支柱は、前面側のフランジから前面側にボルトが突設され、前記ボルト及び締付け金具を用いてネットが緊張され、該締付け金具は前面側に前記ボルトが挿通可能なボルト孔が穿設されたボルト孔部と、ボルト孔部より背面側にネットの空隙の最大幅より大きい長さとなされた締付け部とを備え、前記ボルト孔部のボルト孔及びネットの空隙に前記ボルトを挿通し、ナットを螺着してボルト締めを行うことで、支柱のフランジ以外でネットが前記締付け部により背面側に押しつけられることでネットが緊張されることを特徴とするものである。
【００１７】
本発明によれば、ネットやそれに取り付けられた胴縁を直接ボルト締めするのではなく、ボルト締めによる力が間接的にネットを緊張させる力になるから、ネットが受ける風圧に係わらずネットを緊張させる力が掛けやすく、且つネットを確実に張設することができる。またネットに胴縁などを設ける必要がなく、ネットの空隙にボルトを挿通させてネットの張設が可能となり、更には支柱のスパンより長いネットを用いてフェンスを形成するにおいてネットの途中に支柱が位置する場合でも、かかる方法により容易にネットを緊張させて張設することができる。
【００１８】
【発明の実施の形態】
本発明の実施の形態について、図面に基づき以下に具体的に説明する。
図１〜図３は、本発明に係わる実施の一形態を示す説明図である。まず図１において、Ｈ型鋼の支柱１の前面側αのフランジＦ１には金属製で断面Ｌ字状の取付枠１１が溶接等により取り付けられ、ネット２の長さ方向の端部にはネット２を係止する胴縁２２と共に金属製で断面コ字状の押さえ枠２１が締結手段Ｔ１により取着されている。押さえ枠２１のコ字状の部位には、取付部を形成する傾斜板４１に長孔のボルト孔４２が穿設されている。かかる押さえ枠２１が支柱１のフランジと取付枠１１との間に挿入され、ボルト締めがなされることで支柱１間にネット２が張設される。
【００１９】
図２は、取付枠１１及び押さえ枠２１の詳細を示す説明図である。まずイ）において、断面Ｌ字状の取付枠１１の、Ｌ字状の部位と直角三角形をなす位置に傾斜板３１が溶接等により取り付けられる。その傾斜板３１及びＬ字状の前面とでＶ字状が形成され、その傾斜板３１及びＬ字状の前面側αの面に丸孔のボルト孔３２、３３が穿設されることで取付部３が形成される。一方ロ）において、断面コ字状の押さえ枠２１には、押さえ枠２１が支柱のフランジ及び取付枠１１との間に挿入されたときに、取付枠１１の傾斜板３１と、面同士で当接する方向に傾斜板４１が取り付けられて押さえ枠２１の背面側の面とでＶ字状が形成され、その傾斜板４１及び押さえ枠の背面側の面に長孔のボルト孔４２、４３が穿設されることで取付部４が形成される。
【００２０】
図３は、上述の取付部３及び４を用いて支柱１にネットを緊張させて張設するにおいて、取付部３及び４の詳細を示す上断面図である。取付部３及び４に穿設されたボルト孔３２、３３、４２、４３の全てに取付ボルト５１が挿通された状態でナット５２が螺着される。支柱１のフランジＦ１の前面側αからナット５２を締め込んで行くことで取付ボルト５１の前面側αの先端は矢印Ｙ１の方向にせり出されると同時に押さえ枠２１が矢印Ｙ２の方向に押しつけられる。矢印Ｙ２の方向に押しつけられた押さえ枠２１は、取付枠１１に取り付けられた傾斜板３１と、押さえ枠２１に取り付けられた傾斜板４２とが面で当接されていることで、ナット５２が締め付けられて行くにつれて傾斜板３１及び４１の傾斜方向に摺動されて矢印Ｙ３の方向に移動される。押さえ枠２１が矢印Ｙ３の方向に移動することで、押さえ枠２１に胴縁２２と共に取着されたネット２は矢印Ｙ４の方向に移動し、ネット２は緊張して支柱１間に張設されることとなる。
【００２１】
かかる方法によりネット２を支柱１に張設することで、上述の如き前面側から確実にネットを張設できると共に、傾斜板３１、４１が面で当接されることでネット２が受ける風圧をその当接された部位で支承でき、ネット２は安定して張設することができるが、取付部３及び４が傾斜板３１及び４１と、断面Ｌ字状及び断面コ字状の取付枠１１及び押さえ枠２１により設けられることで、傾斜板３１及び４１と取付枠１１及び押さえ枠２１のそれぞれの一部位とにより直角三角形が形成されることで取付部３及び４の強度が向上され、取付ボルト５１及びナット５２によるボルト締めが強力に行われても取付部３及び４の変形や破損が起こりにくくなり、かかる変形や破損によるネット２の張設への支障の恐れを小さくできる。
【００２２】
また、取付部３及び４を上下方向に複数設けておけば、支柱１のフランジＦ１の前面側からの、複数設けられたナット５２の締め込み具合をそれぞれ調節することで、勾配部における対応も容易なものとなり得る。
【００２３】
図４〜図７は、本発明に係わる他の実施形態を示す説明図である。まず図４において、支柱１の前面側のフランジＦ１に穿設された貫通孔１２に取付ボルト５１が挿通されるが、ボルト締め時における回り止めとして、取付ボルト５１が螺着可能なナットＮ１が取り付けられたアダプターＡが設けられる。このアダプターＡのナットＮ１に取付ボルト５１が螺着されることで、アダプターＡが支柱１の前面側αのフランジＦ１に取り付けられると共に、二本の取付ボルト５１が螺着されることで、アダプターＡ自体についても回り止めがなされる。
【００２４】
次に図５において、ネット２の空隙２３に取付ボルト５１が挿通され、更に固定プレート６に穿設されたボルト孔６１に取付ボルト５１が挿通された状態で、取付ボルト５１にナットＮ２が螺着されることで、アダプターＡ及び固定プレート６との間にネット２が挟持され、ネット２は支柱１付近において長さ方向及び幅方向にずれるのを防止されて支柱１に取着される。
【００２５】
次に図６において、取付ボルト５１が挿通可能な二つのボルト孔７２が穿設された断面コ字状のボルト孔部７１の先端に、丸棒からなる締付け部７が取り付けられ、ボルト孔７２に取付ボルト５１が挿通された状態で、取付ボルト５１にナット５２が螺着されて締め込まれることでボルト締めがなされる。締付け部７の長さは、ネット２の締付け時にネット２の空隙２３から外れないよう、空隙の最大幅より大きくなされており、また締付け部７同士の間隔ｋは、支柱１の前面側αのフランジＦ１の幅より広くなされることで、ネット２を締め付けて緊張させて張設することができる。
【００２６】
図７は、締付け部７によるネット２の締付けの詳細を示す上断面図である。取付ボルト５１に螺着されたナット５２が、支柱１のフランジの前面側αから締め込まれることでナット５２が矢印Ｙ５の方向にボルト孔部７１と共に移動すると、ボルト孔部７１の先端に取り付けられた締付け部７も同じ方向の矢印Ｙ６の方向に移動されることで、ネット２が矢印Ｙ７の方向に引っ張られてネット２は緊張される。ネット２が緊張される際に、ネット２を擦過する締付け部７及びアダプターＡに取り付けられたネット保護材Ａ１が丸棒となされていることで、ネット２の締付けは円滑になされ、且つネット２と一点における接触とならず、長期の使用においても接触部分におけるネット２の破損を防止できる。またアダプターＡの前面側にスペーサーＡ２が設けられていることで、アダプターＡと固定プレート６とでネット２を挟持する面積を増やし、ネット２をより強く支柱１に固定できる。
【００２７】
また固定プレート６や締付け部７等については図８に示す如きものでもよい。本図イ）においては、取付ボルト５１が直接支柱１の前面側のフランジＦ１に溶接されて固定及び回り止めがなされており、かかる取付ボルト５１にネット２及び固定プレート６が挿通されてナットＮ２が螺着されて、支柱１の前面側のフランジＦ１と固定プレート６とによりネット２が挟持され、更に締付け部７を備えたボルト孔部７１が挿通され、ナット５２が螺着されて締め込まれ、ボルト締めがなされることでネット２は支柱１に緊張されて張設される。かかる構造により少ない部材でネット２を支柱１に張設することができる。
【００２８】
またロ）においては、支柱１の前面側αのフランジＦ１に丸棒からなるネット保護部Ｈ、スペーサー部Ｓ及びナットＮ１が溶接等により固着され、ナットＮ１に螺着された取付ボルト５１にネット２及び固定プレート６が挿通されてナットＮ２が螺着されることでネット２はネット保護部Ｈ、スペーサー部Ｓと固定プレート６とに挟持されて支柱１に固定される。更に取付ボルト５１に締付け部７を備えたボルト孔部７１が挿通され、ナット５２が螺着されて締め込まれ、ボルト締めがなされることでネット２は支柱１に緊張されて張設される。かかる構造により、予め支柱１の製作段階でネット保護部Ｈ、スペーサー部Ｓ及びナットＮ１を固着しておけば、ネット２を張設する現場においての手間を軽減できる。
【００２９】
上記の如き方法で支柱１へのネット２の張設を行った網状フェンスにおいて、フェンスの高さが高い場合には、ネット２に既製品を用いた場合、幅が足りずに図９に示す如く上下を継ぎ足して張設する場合があるが、従来は上下のネット２Ａ及び２Ｂを係止する方法として、係止具８に合わせ金具をビスで締結して等して係止していたが、施工の現場において取り付けに係わる手間がかかるという難点があった。
【００３０】
係止具８として、図１０のイ）に示す抜け止め部８１を備え、先端８３を上下のネット２Ａ及び２Ｂの空隙に挿通して係止部８２に挿通することで、ロ）に示す如く環状となり且つ抜け止め部８１と係止部８２とで環状の形状が緩むのを防止できるインシュロック（商品名）の如きものを用いて上下のネット２Ａ及び２Ｂを固定すれば、施工の現場においても容易に上下のネット２Ａ及び２Ｂを係止でき作業は容易なものとなり得る。
【００３１】
【発明の効果】
請求項１に記載の本発明に係わる網状フェンスの形成方法によれば、周囲にボルト締めの障害のないフランジの前面からボルト締めが可能であり、ネットを緊張させるのに強い力を掛けやすく、またネットの緊張状態を確認しながらボルト締めを行うことができるから、ネットを確実に緊張させて調節することが可能となる。
【００３２】
また請求項２に記載の本発明に係わる網状フェンスの形成方法によれば、支柱及びネットに設けられた断面Ｖ字状の取付部が摺動可能に当接された状態でボルト締めを行うことができるから、取付部同士が当接された部位でネットが受ける風圧を支承しつつネットを緊張させるようボルト締めができ、ボルト締めを行うにあたってのボルト締めに要する力を略一定のものとできるから、ネットを緊張させる力が掛けやすく、且つネットを確実に張設できる。
【００３３】
また請求項３に記載の本発明に係わる網状フェンスの形成方法によれば、ネットやそれに取り付けられた胴縁を直接ボルト締めするのではなく、ボルト締めによる力が間接的にネットを緊張させる力になるから、ネットが受ける風圧に係わらずネットを緊張させる力が掛けやすく、且つネットを確実に張設することができる。またネットに胴縁などを設ける必要がなく、ネットの空隙にボルトを挿通させてネットの張設が可能となり、更には支柱のスパンより長いネットを用いてフェンスを形成するにおいてネットの途中に支柱が位置する場合でも、かかる方法により容易にネットを緊張させて張設することができる。
【図面の簡単な説明】
【図１】本発明に係わる実施の一形態を示す説明図である。
【図２】取付部を備えた取付枠及び押さえ枠の詳細を示す説明図である。
【図３】図１におけるネットの取付部分の詳細を示す上断面図である。
【図４】本発明に係わる他の実施形態を示す説明図である。
【図５】本発明に係わる他の実施形態を示す説明図である。
【図６】本発明に係わる他の実施形態を示す説明図である。
【図７】図６におけるネットの取付部分の詳細を示す上断面図である。
【図８】ネットの取付部分の、他の実施形態における詳細を示す上断面図である。
【図９】上下に分割されたネットを係止する一例を示す説明図である。
【図１０】図９に示した係止具の例を示す説明図である。
【図１１】従来の網状フェンスの形成方法を示す説明図である。
【図１２】従来の網状フェンスの形成方法における取付部分の詳細を示す上断面図である。
【符号の説明】
１    支柱
２    ネット
２３  空隙
３    取付部（支柱側）
４    取付部（ネット側）
５１  取付ボルト
５２  ナット
７    締付け部
７１  ボルト孔部
７２  ボルト孔
Ｆ１  前面側のフランジ
【図１】
2004353278.tif 000003
【図２】
2004353278.tif 000004
【図３】
2004353278.tif 000005
【図４】
2004353278.tif 000006
【図５】
2004353278.tif 000007
【図６】
2004353278.tif 000008
【図７】
2004353278.tif 000009
【図８】
2004353278.tif 000010
【図９】
2004353278.tif 000011
【図１０】
2004353278.tif 000012
【図１１】
2004353278.tif 000013
【図１２】
2004353278.tif 000014